【手続補正書】
【提出日】平成18年2月16日(2006.2.16)
【手続補正１】
【補正対象書類名】明細書
【補正対象項目名】特許請求の範囲
【補正方法】変更
【補正の内容】
【特許請求の範囲】
【請求項１】複数のバーチャル・プライベート・ネットワーク（以下、「ＶＰＮ」という。）を収容することができるルータ装置であって、
複数の論理チャネルが多重された受信回線を収容する物理インタフェースと、上記複数の論理チャネルの各論理的なチャネルに割り当てられている論理チャネル識別子と、上記複数のＶＰＮに割り当てられているＶＰＮ名との対応関係を示すテーブルを保持するメモリと、
上記複数の論理チャネルのうちの一つの論理チャネルを介して送信されたパケットを受信した際、上記論理チャネルに割り当てられている論理チャネル識別子を検索キーとして上記テーブルを検索し、上記受信パケットが上記複数のＶＰＮのうち何れのＶＰＮに属するかを判断する処理部、とを有することを特徴とするルータ装置。
【請求項２】請求項１に記載のルータ装置であって、
それぞれ、送信回線が収容される複数の物理インタフェースと、
上記複数のＶＰＮの各ＶＰＮ対応に、各ＶＰＮで使用されるパケットのアドレス情報と、上記複数の物理インタフェースを識別する情報との対応関係を示すルーティングテーブルを保持するメモリ、とを有し、
上記処理部は、上記パケットのヘッダ部に格納される宛先アドレス情報を検索キーとして上記ルーティングテーブルを検索し、上記複数の物理インタフェースのうち何れの物理インタフェースから上記受信パケットを送信するかを決定することを特徴とするルータ装置。
【請求項３】請求項２に記載のルータ装置であって、
上記ルーティングテーブルは、各ＶＰＮで使用されるパケットのアドレス情報と、パケットを出力する際に付与するヘッダ情報との関係を保持し、
上記処理部は、上記パケットのヘッダ部に格納される宛先アドレス情報を検索キーとして上記ルーティングテーブルを検索し、上記受信パケットに付与するパケットヘッダ情報を決定することを特徴とするルータ装置。
【請求項４】請求項２又は請求項３の何れかに記載のルータ装置であって、
上記テーブルと上記ルーティングテーブルとは物理的に同一のメモリ上に保持されることを特徴とするルータ装置。
【請求項５】請求項１乃至請求項４の何れかに記載のルータ装置であって、
上記受信回線は、非同期転送モード（ＡＴＭ）回線であり、上記論理チャネル識別子は、ＶＰＩ及びＶＣＩであることを特徴とするルータ装置。
【請求項６】請求項１乃至請求項４の何れかに記載のルータ装置であって、
上記受信回線は、フレームリレー回線であり、上記論理チャネル識別子は、ＤＬＣＩであることを特徴とするルータ装置。
【請求項７】請求項１乃至請求項４の何れかに記載のルータ装置であって、
上記受信回線は、Ｌ２ＴＰ（Layer2 Tunneling Protocol）で規定されているＬ２ＴＰヘッダでカプセル化されたパケットが送信され、上記論理チャネル識別子は、Ｌ２ＴＰカプセルヘッダ内の情報であることを特徴とするルータ装置。
【請求項８】請求項１乃至請求項４の何れかに記載のルータ装置であって、
上記受信回線は、イーサネット（登録商標）回線であり、上記論理チャネル識別子は、IEEE802.1Qで規定されるＶＬＡＮ Ｔａｇであることを特徴とするルータ装置。
【請求項９】請求項１乃至請求項４の何れかに記載のルータ装置であって、
上記受信回線は、ＰＰＰ Ｏｖｅｒ Ｅｔｈｅｒｎｅｔ（登録商標）でカプセル化されたパケットが送信され、上記論理チャネル識別子は、そのカプセルヘッダ内の情報であることを特徴とするルータ装置。
【請求項１０】請求項１乃至請求項９の何れかに記載のルータ装置であって、
上記ルータ装置は、制御端末と接続することが可能であり、
上記制御端末から、上記テーブル内に保持される上記論理チャネル識別子と、上記ＶＰＮ名との対応関係を設定することができることを特徴とするルータ装置。
【請求項１１】ルータ装置であって、
第１のバーチャル・プライベート・ネットワーク（以下、「ＶＰＮ」という。）に属する第１のローカル・エリア・ネットワーク（以下「ＬＡＮ」という。）及び第２のＶＰＮに属する第２のＬＡＮから同一のプロトコルでカプセル化されたパケットが多重されて送信される回線を収容するインタフェース部と、
上記第１の回線から受信したパケットが上記第１のＶＰＮに属するのか、上記第２のＶＰＮに属するのかを識別するための識別子を設定する手段、とを有することを特徴とするルータ装置。
【請求項１２】請求項１１に記載のルータ装置であって、
上記プロトコルは非同期転送モードプロトコルであり、上記識別子はＶＰＩ及びＶＣＩであることを特徴とするルータ装置。
【請求項１３】ルータ装置であって、
それぞれ、異なるバーチャル・プライベート・ネットワーク（以下、「ＶＰＮ」という。）に属する複数のローカル・エリア・ネットワーク（以下「ＬＡＮ」という。）から第１のプロトコルでカプセル化されたパケットが送信される第１の回線を収容する第１のインタフェース部と、
それぞれ、異なるＶＰＮに属するＶＰＮに属する複数のＬＡＮから第２のプロトコルでカプセル化されたパケットが送信される第２の回線を収容する第２のインタフェース部と、
上記第１の回線から受信したパケットが何れのＶＰＮに属するのかを識別するための第１の識別子を設定する手段と、
上記第２の回線から受信したパケットが何れのＶＰＮに属するのかを識別するための第２の識別子を設定する手段とを有し、
上記第２の識別子は上記第１の識別子とは異なることを特徴とするルータ装置。
【請求項１４】請求項１３に記載のルータ装置であって、
上記第１のプロトコルは非同期転送モードプロトコルであり、上記第１の識別子はＶＰＩ及びＶＣＩであり、
上記第２のプロトコルはフレームリレーであり、上記第２の識別子はＤＬＣＩであることを特徴とするルータ装置。
【請求項１５】ルータ装置であって、
第１のバーチャル・プライベート・ネットワーク（以下、「ＶＰＮ」という。）に属する第１のローカル・エリア・ネットワーク（以下「ＬＡＮ」という。）から第１のプロトコルでカプセル化されたパケットと、第２のＶＰＮに属する第２のＬＡＮから上記第１のプロトコルでカプセル化されたパケットととが多重されて送信される第１の回線を収容する第１のインタフェース部と、
第３のＶＰＮに属する第３のＬＡＮから第２のプロトコルでカプセル化されたパケットが送信される第２の回線と、第４のＶＰＮに属する第４のＬＡＮから上記第２のプロトコルでカプセル化されたパケットが送信される第３の回線とを収容する第２のインタフェース部と、
上記第１の回線から受信したパケットが上記第１のＶＰＮに属するのか、上記第２のＶＰＮに属するのかを識別するための第１の識別子を設定する手段と、
上記第２の回線及び上記第３の回線から受信したパケットが上記第３のＶＰＮに属するのか、上記第４のＶＰＮに属するのかを識別するための第２の識別子を設定する手段、
とを有し、
上記第２の識別子は上記第１の識別子とは異なることを特徴とするルータ装置。
【請求項１６】請求項１５に記載のルータ装置であって、
上記第１のプロトコルは非同期転送モードプロトコルであり、上記第１の識別子はＶＰＩ及びＶＣＩであり、
上記第２のプロトコルはＰＰＰ over ＳＯＮＥＴであり、上記第２の識別子は、上記第３の回線と上記第４の回線とを識別するための物理インタフェース番号であることを特徴とするルータ装置。
【請求項１７】複数のバーチャル・プライベート・ネットワーク（以下、「ＶＰＮ」という。）を収容するルータ装置であって、
レイヤ２に相当するプロトコルによるカプセルヘッダが付与されたＩＰパケットを受信するインタフェース部と、
上記カプセルヘッダ内の情報を用いて、上記受信したＩＰパケットが何れのＶＰＮに属するかを決定する手段、とを有することを特徴とするルータ装置。
【手続補正２】
【補正対象書類名】明細書
【補正対象項目名】発明の名称
【補正方法】変更
【補正の内容】
【発明の名称】ルータ装置